(57)【特許請求の範囲】
【請求項１】
本体に着脱可能なスピーカを備えた携帯電話であって、
前記スピーカが本体に装着されているか否かを判定する着脱状態判定手段と、
前記着脱状態判定手段において前記スピーカが本体に装着されていると判定された場合には装着モードに設定し、前記スピーカが本体から隔離されていると判定された場合には隔離モードに設定するモード設定手段と、
着信時において音声通話を開始する際またはマルチメディアメールの閲覧を開始する際に、前記モード設定手段において設定されたモードに基づいて、当該携帯電話が備える機能を制御する機能制御手段と
を備えることを特徴とする携帯電話。
【請求項２】
請求項１に記載の携帯電話において、
前記機能制御手段は、前記隔離モードにおけるマイクの感度が、前記装着モードにおけるマイクの感度より高くなるように制御することを特徴とする携帯電話。
【請求項３】
請求項１に記載の携帯電話において、
前記機能制御手段は、前記装着モードにおける電力消費量が、前記隔離モードにおける電力消費量よりも少なくなる態様で画面表示を制御することを特徴とする携帯電話。
【発明の詳細な説明】
【０００１】
【発明の属する技術分野】
本発明は、スピーカを脱着可能に設けた携帯電話に関する。
【０００２】
【従来の技術】
従来、携帯電話においては、表示画面、スピーカ、およびマイクが全て携帯電話本体（以下、本体という）に固定されていた。このような携帯電話においては、通話する際には本体のスピーカおよびマイクをそれぞれ耳および口に近づけるようにし、通話中以外で表示画面を見る際には表示画面を視認できる距離まで本体を顔から離すようになっている。
携帯電話は、主に音声による通話に用いられており、このような通話では、表示画面を見る際にはスピーカからの出力およびマイクからの入力を行う必要がないからである。
【０００３】
【発明が解決しようとする課題】
しかしながら、携帯電話において、テキストデータ、画像データ、および音声データなど複数種類のデータが通信されるようになると、以下のような問題が生じる。
例えば、画像データと音声データとを付加したマルチメディアメールを閲覧するような場合には、携帯電話の利用者は表示画面を見ながら音声を聴く必要があるが、本体のスピーカを耳に近接させると画面を見ることができず、画面を見るためにスピーカを耳から離すと音声を聴くことができないという問題が生じる。従来の携帯電話にあっては、スピーカから出力される音量は、耳をスピーカに接近させて聴くよう調整されているからである。
この問題は、本体に設けられたボタン等を操作して音量を大きくすることによって解決できるが、スピーカの音量を通常の通話時より大きくすると、周りの者の迷惑になるという問題がある。なお、このような問題に対しては、イヤホン等を本体に接続して音声を聴くようにしたものもあるが、このようなイヤホンを用いた場合には、いちいちイヤホンを接続しなければならず不便である。
【０００４】
また、画面を見ながら通話を行うような場合も同様であり、本体のマイクを口に近接させると画面を見ることができず、画面を見るためにマイクを口から離すと音声がよく入らないという問題が生じる。マイクの感度は、口をマイクに接近させて話すよう調整されているからである。
この場合においても、本体に設けられたボタン等を操作して感度を高くすることが可能であるが、表示画面を見ながら音声を聴くあるいは通話を行うときと、従来の通話のように表示画面を見ないで通話するときとで、スピーカの音量やマイクの感度を操作して切り換えなければならないのは大変不便である。
また、本体を顔に近づけて通話する際、表示画面を見ないにもかかわらず、表示画面に表示がされたままであると、電力を浪費してしまうという問題もある。
このように、従来の携帯電話は、電力を浪費するような態様で使用しなければならない上、操作性においても不便な場合があり、不便を解消しようとすると周りの者の迷惑をかけるので、その使用態様が制限されてしまうという問題があった。
【０００５】
本発明は、上述した課題を解決するためになされたものであり、使用態様の制限が少ない携帯電話を提供することを目的としている。
【０００６】
【課題を解決するための手段】
上述した課題を解決するために、請求項１に記載の発明は、本体に着脱可能なスピーカを備えた携帯電話であって、前記スピーカが本体に装着されているか否かを判定する着脱状態判定手段と、前記着脱状態判定手段において前記スピーカが本体に装着されていると判定された場合には装着モードに設定し、前記スピーカが本体から隔離されていると判定された場合には隔離モードに設定するモード設定手段と、着信時において音声通話を開始する際またはマルチメディアメールの閲覧を開始する際に、前記モード設定手段において設定されたモードに基づいて、当該携帯電話が備える機能を制御する機能制御手段とを備えることを特徴とする。
請求項２に記載の発明は、請求項１に記載の携帯電話において、前記機能制御手段は、前記隔離モードにおけるマイクの感度が、前記装着モードにおけるマイクの感度より高くなるように制御することを特徴とする。
請求項３に記載の発明は、請求項１に記載の携帯電話において、前記機能制御手段は、前記装着モードにおける電力消費量が、前記隔離モードにおける電力消費量よりも少なくなる態様で画面表示を制御することを特徴とする。
【０００７】
【発明の実施の形態】
以下、図面を参照しながら本発明の実施の形態について説明する。
【０００８】
［１．携帯電話の外観構成］
図１および図２は、本実施形態における携帯電話の外観構成を示す図である。本実施形態は、画像など表示を見ながら音声を聞くときにスピーカの音量を大きくする必要がないように、本体１から脱着可能なスピーカ２を設けた携帯電話として構成されており、図１はスピーカ２が本体１に装着された状態を示した図であり、図２はスピーカ２が本体１から離隔された状態を示した図である。
【０００９】
より具体的には、図１および図２に示すように、携帯電話は、本体１およびスピーカ２の他、スピーカ２を本体１に接続しているケーブル３、テキストデータおよび画像データを表示することができる表示画面１１、音声を入力することができるマイク１２、および複数のボタン等からなる操作部１３、スピーカ２を収納するスピーカ収納部１４を有している。
なお、図１に示すようにスピーカ２を本体１に装着した状態においては、例えば巻き取り部を本体１の内部に設けるなどして、ケーブル３を収納できるように構成されている。
【００１０】
このようにスピーカを脱着可能にしているので、画像など表示を見ながら音声を聞くときにスピーカの音量を大きくする必要がなく、周りの者の迷惑とならないようにすることができる。
また、図２に示すように、スピーカ収納部１４には、スピーカ２が本体１に装着されているか否かを検知するセンサ１５が設けられている。このセンサ１５は、後に詳しく説明するように、スピーカ２が本体１に装着されている「装着モード」と、スピーカ２が本体１から離隔されている「離隔モード」とを検知結果に基づいて切り換えるために用いられるようになっている。
【００１１】
［２．携帯電話の機能構成］
図３は、本実施形態における携帯電話の機能構成を示すブロック図である。なお、ここに示す各機能を実現する電気的構成の詳細については説明を省略している。
図３に示すように、本実施形態における携帯電話は、先に説明した表示画面１１、マイク１２、センサ１５の他、後に詳しく説明する制御を行う制御部２０、表示画面１１における表示態様を制御する表示制御部２１、マイク１２の感度を設定する感度設定部２２、上述した「装着モード」あるいは「離隔モード」の設定を行うモード設定部２３、および、センサ１５における検知に基づいてスピーカ２の着脱状態を判定する着脱状態判定部２５を備えている。
【００１２】
本実施形態では、上述した「装着モード」あるいは「離隔モード」の設定に基づいて、マイク１２の感度および表示画面１１の表示態様を切り換えることができるように構成されている。
図３に示した装着状態判定部２５は、センサ１５の検知に基づいてスピーカ２の着脱状態を判定するものであり、制御部２０は、装着状態判定部２５における判定に基づいて、モード設定部２３における「装着モード」あるいは「離隔モード」の設定を切り換えるものである。
【００１３】
図４は、制御部２０における制御処理内容を示したフローチャートであり、この処理は、センサ１５における検知状態が変化すると開始されるものである。
スピーカ２がスピーカ２が本体１に装着されている状態からスピーカ２が本体１から離隔されている状態に変化すると、例えば通電状態から遮断状態にセンサ１５の検知状態が変化し、これに基づいて制御部２０は図４に示す処理を開始する。
制御部２０は、センサ１５における検知状態に基づいて装着状態判定部２５が行う判定結果を参照し、スピーカ２が本体１に装着されているか否かを判定する（Ｓ１０１）。
ここで、スピーカ２が本体１に装着されていると判定した場合は（Ｓ１０１；Ｙｅｓ）、制御部２０は、モード設定手段２３におけるモード設定を「装着モード」に切り換えて（Ｓ１０２）、この処理を終了する。
一方、ステップＳ１０１の判定において、スピーカ２が本体１に装着されていないと判定した場合は（Ｓ１０１；Ｎｏ）、制御部２０は、モード設定手段２３におけるモード設定を「隔離モード」に切り換えて（Ｓ１０３）、この処理を終了する。
【００１４】
次に、図５は、「装着モード」あるいは「離隔モード」の設定に基づいて、マイク１２の感度および表示画面１１の表示態様を切り換える必要が生じた場合に、制御部２０において実行される制御処理内容を示したフローチャートである。
例えば、着信時において音声通話を開始する際に実行される場合もあれば、マルチメディアメールの閲覧を開始する際に実行される場合もある。
制御部２０は、図５に示す処理を開始すると、まずモード設定部２３における設定状態を参照し、「装着モード」であるか「離隔モード」を判定する（Ｓ２０１）。
ステップＳ２０１の判定において「装着モード」であると判定した場合は、制御部２０は、感度設定部２２においてマイク１２の感度を低く設定させ、表示制御部２１に表示画面１１の表示態様をＯＦＦ状態に制御させる（Ｓ２０２）。
一方、ステップＳ２０１の判定において「隔離モード」であると判定した場合は、感度設定部２２においてマイク１２の感度を高く設定させ、表示制御部２１に表示画面１１の表示態様をＯＮ状態に制御させる（Ｓ２０３）。
【００１５】
より具体的には、装着モードにおける感度、すなわち図５のステップＳ２０２において設定するマイク１２の感度は、例えばマイクに極く接近して声を出しても歪を発生しないような最適値に設定する。
一方、離隔モードにおける感度、すなわち図５のステップＳ２０３において設定するマイク１２の感度は、表示画面１１を視認する距離、例えば、マイク１２から２５ｃｍ離れて声を出しても十分な入力となる値に設定する。
なお、各モード毎の設定値は、予め計測どによって求めた値をモード設定部２３に固定値として記憶しておくようにしてもよいし、操作部１３における操作によって入力や変更をできるようにしてもよい。
【００１６】
このように、離隔モードにおけるマイク１２の感度は、装着モードにおけるマイク１２の感度よりも高く設定されるようになっているので、画像など表示を見ながらマイク１２を口から離してから音声を入力する場合であっても、大きな声を出す必要がなくなり、周囲に迷惑をかけるような使用を行わずに済むようになる。
このモードの切り換えは、センサ１５における検知に基づいて行われるので、わざわざ操作部１３を用いて切り換え操作を行う必要がなく、携帯電話の操作性も向上する。
【００１７】
また、離隔モードであるか装着モードであるかによって、表示画面１１上に表示を行うか否かを判定するようにしており、装着モードにおいて通話中は表示を行わず、離隔モードにおいて通話中は表示を行うようにしているので、表示画面１１を見る必要がないときには、表示画面１１に表示は行われず、電力の消費を抑えることができるようになる。
【００１８】
［３．変形例］
本発明は上述した実施形態に限定されるものではなく、以下に例示するような各種の変形が可能である。
【００１９】
上記実施形態においては、センサ１５を設けた構成として説明しているが、センサの種類は特に限定されるものではなく、スピーカ２が本体１に装着されているか否かを判定するためには、スピーカ２の着脱状態を電気的に検知してもよいし、機械的に検知してもよい。あるいは、操作部１３を操作することにより必要に応じて設定できるようにしてもかまわない。
なお、スピーカ２が本体１に装着されているか否かの判定に基づくモードの設定を行うか否かについて適宜設定できるように構成してもかまわないし、モード設定に基づく制御を行うか否かについて選択できるようにしてもよい。
このように、制御内容に自由度をもたせることによって、使用態様が制限される場合がさらに少なくなる。
【００２０】
また、上記実施形態では、携帯電話が備える機能としてマイク１２の感度および表示画面１１の表示態様を例として説明しているが、これらに限らず、例えばスピーカ２の音量を制御するようにしてもよいし、操作部１３の機能を変更するようにしてもかまわない。複数の機能の制御を組み合わせたり、組み合わせ内容を選択できるようにしてもよい。
マイク１２については、感度のみでなく指向性をモードにより切り換えるようにしてもよい。
【００２１】
表示画面１１の表示態様としても、上記実施形態で示したように、表示のＯＮ・ＯＦＦに限らず、解像度の変更やカラー・単色の切り換え、液晶画面であればバックライトのＯＮ・ＯＦＦなど、装着モードにおける電力消費量が、離隔モードにおける電力消費量よりも少なくなる態様で画面表示を制御できればどのような態様でもかまわない。
【００２２】
【発明の効果】
以上説明したように、本発明によれば、使用態様の制限が少ない携帯電話を提供することができるようになる。
【図面の簡単な説明】
【図１】本発明に係る携帯電話を示し、スピーカを装着した状態の斜視図である。
【図２】本発明に係る携帯電話を示し、スピーカを離隔した状態の斜視図である。
【図３】本実施形態における携帯電話の機能構成を示すブロック図である。
【図４】センサの検知に基づく制御処理内容を示したフローチャートである。
【図５】モード設定に基づく制御処理内容を示したフローチャートである。
【符号の説明】
１……本体、２……スピーカ、３……ケーブル、１１……表示画面、１２……マイク、１３……操作部、１４……スピーカ収納部、１５……センサ。
【図１】
0003615112.tif 000002
【図２】
0003615112.tif 000003
【図３】
0003615112.tif 000004
【図４】
0003615112.tif 000005
【図５】
0003615112.tif 000006